(57)【要約】【課題】ホストベースシステムでは不可能であったネットワークインターフェースの設定情報の印刷を可能とする。【解決手段】デバイス本体１０７がプリンタであるデバイス端末装置１０５とクライアント装置１０１〜１０３がネットワーク１００を介して接続された印刷システムにおいて、クライアント装置１０１は、ネットワーク１００に接続されたネットワークインターフェース１０６よりコンフィグレーション情報を取得する。そして、取得されたコンフィグレーション情報に基づいて、当該情報を表すイメージを含む印刷ジョブを生成する。この印刷ジョブはクライアント装置１０１からデバイス端末装置１０５に送られ、プリンタデバイス１０７によって記録紙上に印刷される。【選択図】  図１
2004185133.tif 000002
【特許請求の範囲】
【請求項１】
印刷装置と情報処理装置とがネットワークを介して通信可能な印刷システムであって、
前記情報処理装置により、前記ネットワークに接続されたネットワークインターフェースより構成情報を取得する取得手段と、
前記取得手段で取得された構成情報に基づいて印刷ジョブを生成する生成手段と、
前記生成手段で生成されて前記印刷装置に送信された印刷ジョブに従って、前記構成情報を印刷する印刷手段と
を備えることを特徴とする印刷システム。
【発明の詳細な説明】
【０００１】
【発明の属する技術分野】
本発明は、印刷装置と、該印刷装置をネットワークに接続するネットワークインターフェースと、該印刷装置にローカル接続されるクライアント装置とを具備した印刷システムに好適な技術に関する。
【０００２】
【従来の技術】
一般に、パーソナルコンピュータ（ＰＣ）等で構成される情報処理装置（以下、クライアント装置）と、プリンタ等の周辺機器デバイス（以下、デバイス端末装置）との接続の形態として、次の２種類が知られている。１つは、クライアント装置でデバイス端末装置の各々がネットワークに接続されて成るネットワークシステムにおいて、ネットワークを介してクライアント装置とデバイス端末装置の間の通信を行なうものである（ネットワーク接続形態という）。また、他の一つは、ネットワークを介さずに、クライアント装置をデバイス端末装置と直接接続（ローカル接続）してなるシステムである（ローカル接続形態）。なお、以下、ネットワークを介してデバイス端末に接続されるクライアント装置をネットワーククライアント、ローカル接続でデバイス端末装置と接続されるクライアント装置をローカルクライアントと称する。
【０００３】
ネットワーク接続形態において、デバイス端末装置は、ネットワークインターフェース装置と周辺機器デバイス本体で構成され、周辺機器デバイス本体はネットワークインターフェース装置を通してネットワークに接続されている。そして、ネットワークインターフェース装置が周辺機器デバイス本体とネットワーク上にあるネットワーククライアント端末との間の情報の通信を行っている。一方、ローカル接続形態においては、周辺機器デバイス本体はローカル−ホスト間用のインターフェース（セントロニクスやＵＳＢ等）で接続されるローカルクライアント端末との間で通信を行っている。
【０００４】
ところで、このようなクライアント装置及びデバイス端末装置で構成されるシステムとして、周辺機器デバイス本体にページ記述言語（ＰＤＬ）を持たないプリンタデバイスを用いたホストベースシステムがある（たとえば特許文献１参照）。ホストベースシステムでは、クライアント装置側にて印刷イメージデータの生成、圧縮が行われ、プリンタデバイスへ転送される。プリンタデバイスのコントローラは受信したイメージデータを伸張し、プリンタエンジンへイメージデータを送信することで印刷を行う。このようなホストベースシステムは、プリンタデバイス自身がページ記述言語（ＰＤＬ）を解釈する機能を持つＬＩＰＳやＥＳＣ／Ｐ、ＰｏｓｔＳｃｒｉｐｔという印刷システムとは異なる方式のものである。
【０００５】
【特許文献１】
特開平０９−１４７０９３号公報
【０００６】
【発明が解決しようとする課題】
一般に、ネットワークインターフェースの環境設定情報（コンフィグ情報）を確認するために、コンフィグ情報を印刷出力させることが行われている。特に、周辺機器デバイス本体としてプリンタデバイスを有するシステムでは、このプリンタデバイスを用いてネットワークインターフェース装置のコンフィグ情報を印刷できることが望ましい。プリンタデバイスがＰＤＬを解釈する機能を持つシステムにおいて、ネットワークインターフェース装置のコンフィグ情報を印刷することは既に行われている。この場合、ネットワークインターフェース装置が印刷データ（ＰＤＬデータ形式）をプリンタデバイスへ送信し、プリンタデバイスがＰＤＬデータをイメージデータへ展開する処理を行い印刷することになる。すなわち、ネットワークを介した情報通信を行なうことなくコンフィグ情報を印刷できる。
【０００７】
しかしながら、ホストベースシステムにおいては、同様のコンフィグ情報を印刷する場合に、印刷イメージをプリンタデバイスへ送信する必要が生じる。ネットワークインターフェース装置がＰＤＬ形式の印刷データを送信しても、プリンタデバイスはこれを印刷することはできないからである。
【０００８】
一般に、ネットワークインターフェース装置はイメージデータを直接生成するような機能は持ち合わせないので、ホストベースシステムにおいては、ネットワークインターフェース装置とプリンタデバイスによってそのコンフィグ情報を印刷することは不可能であった。
【０００９】
本発明は、上記の課題に鑑みてなされたものであり、ホストベースシステムでは不可能であった、ネットワークインターフェースの設定情報の印刷を可能とすることを目的とする。
【００１０】
【課題を解決するための手段】
上記の課題を解決するための本発明の印刷システムは以下の構成を備える。すなわち、
印刷装置と情報処理装置とがネットワークを介して通信可能な印刷システムであって、
前記情報処理装置により、前記ネットワークに接続されたネットワークインターフェースより構成情報を取得する取得手段と、
前記取得手段で取得された構成情報に基づいて印刷ジョブを生成する生成手段と、
前記生成手段で生成されて前記印刷装置に送信された印刷ジョブに従って、前記構成情報を印刷する印刷手段とを備える。
【００１１】
【発明の実施の形態】
以下、添付の図面を参照して本発明の実施形態を説明する。
【００１２】
本実施形態では、ネットワークインターフェースの設定情報をネットワークを通してクライアント装置に送信し、クライアント装置において印刷ジョブを生成（つまり印刷イメージデータを生成）し、生成した印刷ジョブをネットワークを介してプリンタデバイスへ送信することによって、ホストベースシステムにおける設定情報の印刷を可能とする。以下、本実施形態について詳細に説明する。
【００１３】
図１は、本発明の第１実施形態に係るデータ転送処理装置が適用可能なネットワークシステムのシステム構成図である。図１において、１０１〜１０３は、例えばパーソナルコンピュータ（ＰＣ）等で構成されるクライアント装置であり、ネットワーク１００に接続されている。
【００１４】
１０５はデバイス端末装置であり、１０６はネットワークインターフェースである。ネットワークインターフェース１０６の代表的なものには、ネットワークボードやネットワークカードがある。１０７は周辺機器デバイス本体であり、ネットワークインターフェース１０６及びネットワーク１００を通してクライアント１０１〜１０３と接続されている。本実施形態では、周辺機器デバイスはホストベースシステムを構成するプリンタデバイスを例として用いて説明する。
【００１５】
図２は、図１に示したネットワークインターフェース１０６の構成を示すブロック図である。図２において、２０１はＣＰＵであり、フラッシュＲＯＭ２０２に記憶された各種制御プログラムに基づいて、外部のネットワーク１００との通信やプリンタインターフェース２０５との通信を行い、ネットワークインターフェースとしての各機能の動作制御を行う。フラッシュＲＯＭ２０２は、一部書き換えが可能なＲＯＭであり、保存用パラメータ領域として利用可能なデバイスである。フラッシュＲＯＭ２０２内には、制御プログラムやデータ、各種保存用パラメータが格納される。２０３はＲＡＭであり、ＣＰＵ２０１が用いる一時的な作業用データ、及びパラメータの格納に用いられる。
【００１６】
２０４はＬＡＮコントローラであり、外部のネットワーク１００との通信を行う機能を持つ（例えばイーサネット（登録商標）やトークンリング）。このＬＡＮコントローラ２０４の制御によって、ネットワーク１００に接続されるクライアントからの印刷イメージデータが入力される。また、ＬＡＮコントローラ２０４を介して、印刷イメージデータの入力だけでなく、ネットワーク１００との間で各種の情報のデータを入出力する。
【００１７】
２０５はプリンタインターフェースである。外部ネットワーク１００から入力されたプリンタジョブのプリンタデバイス本体１０７への送信、プリンタ制御ジョブの送受信、プリンタデバイス本体１０７に関する状態情報の獲得、プリンタデバイス本体１０７に関する機器情報の獲得、及びプリンタデバイス本体１０７に関する機器設定がこのプリンタインターフェース２０５を通じて行われる。
【００１８】
そして、上記のＣＰＵ２０１、フラッシュＲＯＭ２０２、ＲＡＭ２０３、ＬＡＮコントローラ２０４、及びプリンタインターフェース２０５がシステムバス２０８を介して接続されている。
【００１９】
図３は、図１に示したローカルクライアント１０１〜１０３によるプリンタ制御機能の構成を示すブロック図である。図３は「Ｗｉｎｄｏｗｓ（登録商標）  ＯＳ」での例である。
【００２０】
３０１は、Ｗｉｎｄｏｗｓ（登録商標）アプリケーションであり、「Ｍｉｃｒｏｓｏｆｔ  Ｗｏｒｄ（登録商標）」や「Ｍｉｃｒｏｓｏｆｔ  Ｅｘｃｅｌ（登録商標）」など、ＯＳ上で動作する一般的なアプリケーションである。３０２はＧＤＩ／Ｓｐｏｏｌｅｒであり、アプリケーション３０１とプリンタドライバ３０４との間の処理とスプール機能を行うものである。
【００２１】
３０３はランゲージモニタであり、プリンタドライバ３０４が作成した印字データをページ毎に区切り、両面処理、印刷順序処理、コレーション処理、マルチコピー処理、給紙口選択などの用紙サイズ管理、などを行って、プリンタポート３０６へ渡すとともに、プリンタのステータス監視を行い、ステータスマネージャへの通知を行う。
【００２２】
３０４はプリンタドライバであり、アプリケーションの指示に従ってビットマップを作成し、これを圧縮して出力する。３０５はステータスウィンドウであり、ランゲージモニタ３０３からステータスを受け取り、プリンタのステータスを画面に表示する。また、ステータスウィンドウ３０５は、ステータスウインドウＧＵＩを表示し、このＧＵＩからの操作入力によって、ジョブ制御要求を受け付け、ジョブ制御要求の通信をランゲージモニタ３０３との間で行う。３０６はＮｅｔｗｏｒｋポートモニタであり、ネットワーク上のククライアント１０１〜１０３と通信を行うポートである。
【００２３】
以上の構成を備えた本実施形態のホストベースシステムにおいて、ネットワークインターフェース１０６のコンフィグ情報をプリンタデバイス１０７によって印刷するための、本実施形態の動作を具体的に説明する。
【００２４】
ネットワークインターフェース１０６は通常処理として、図４のフローチャートのステップＳ４０１〜Ｓ４０５に示すような処理を実行する。ネットワーク１００やプリンタインターフェース２０５からネットワーク信号或いはプリンタＩ／Ｆ信号を受信すると、ステップＳ４０１からステップＳ４０２へ進む。ステップＳ４０２では、受信した信号やコマンドを解析し、ステップＳ４０３で、それに該当する処理（印刷処理、制御コマンド処理等）を起動する。そしてこの処理に加え、外部ネットワークに対して不規則に行われる動作を行う。この処理には、ネットワーク上のクライアントへプリンタの状態変化通知を行うＴｒａｐ処理、各種のプリンタのログ等をＥ−ｍａｉｌで通知する処理などがある（ステップＳ４０４、Ｓ４０５）。このネットワークインターフェース側の処理においてプリンタ側の情報が必要になる場合は、プリンタインターフェースを通して情報の取得が行われる。
【００２５】
本実施形態では、ネットワーククライアントからネットワークを通して送信されるプリンタ制御コマンドに拡張を施し、「コンフィグページの印刷」なるコマンドを追加する。このコマンドをネットワークインターフェースが処理することにより、ネットワークインターフェース自身の設定情報を印刷可能とする。以下、本実施形態によるコンフィグページの印刷処理について説明する。
【００２６】
まず、図５を参照してクライアント装置側のコンフィグ情報の印刷に関る処理の流れを説明する。クライアント装置１０１〜１０３（以下、クライアント装置１０１で代表させる）にはプリンタを使用可能とするのに必要なプリンタドライバ３０４（ランゲージモニタ３０３やステータスウィンドウ３０５も含む）がインストールされている。ここでステータスウィンドウ３０５はプリンタの各種状態情報をクライアント装置１０１の画面上に表示するアプリケーションである。図６にはこのステータスウインドウ３０５による表示例（ウインドウ６０）が示されている。ここで表示される状態情報は、ランゲージモニタ３０３がネットワークを通して、クライアント装置１０１とプリンタデバイス１０７との間の制御コマンド通信によってプリンタデバイス１０７側から獲得したものであり、ステータスウィンドウ３０５はその状態情報を受け取り、クライアント装置１０１の画面上への表示を行う。
【００２７】
ステータスウィンドウ３０５のＧＵＩ（ウインドウ６０）には、デバイス端末装置１０５にネットワークインターフェース１０６が装着されていることを検出した場合に、そのネットワークインターフェースのコンフィグページの印刷を指示するためのユーザインターフェース（メニュー６１）が追加される。
【００２８】
図５のフローチャートにおいて、ステップＳ５０１にて、ステータスウィンドウ３０５が起動される。ステータスウィンドウ３０５の起動は必要条件であり、このアプリケーションより、コンフィグページ印刷を指示するメニュー６１（図９）が提供される。このメニュー６１がクリックされることにより、コンフィグページの印刷指示のトリガが発行される（ステップＳ５０２）。
【００２９】
次にステータスウィンドウ３０５はランゲージモニタ３０３と通信を行い、上記の印刷指示のトリガを伝える（ステップＳ５０３）。この手段は、ジョブを一時停止する際の手段と同様である。つまりランゲージモニタ３０３とステータスウィンドウ３０５間にてコマンドのやりとりが行われており、このコマンドにコンフィグページ印刷のコマンドが追加されている。ランゲージモニタ３０３においては、ネットワークを通してやりとりされるプリンタ制御コマンドの一つとして、コンフィグ情報獲得コマンドが発行される。
【００３０】
そして、次にそのコンフィグ情報獲得コマンドに対する応答を待ち、応答コマンドが返信されたら受信処理を行う（ステップＳ５０４）。後述するが、この応答コマンドにはネットワークインターフェース１０６のコンフィグ情報が含まれている。ランゲージモニタ３０３は、所定のフォーマットに沿って応答されたコンフィグ情報を解析し、印刷データを作成する（ステップＳ５０５）。この印刷データの作成においては、ランゲージモニタ３０３が一般の印刷におけるアプリケーションと同様の処理を行う。つまり、ランゲージモニタ３０３は、コンフィグ情報をＧＤＩデータに変換し、これをスプーラへ送る。これ以降は通常アプリケーションによる印刷の場合と同様に、ドライバが起動されプリンタが印刷することが可能な印刷イメージデータへの変換が行われる（ステップＳ５０６）。印刷完了ステータスをステータモニタが検知したなら、コンフィグページ印刷完了状況を表す画面表示を行う（Ｓ５０７）。以上でローカルクライアント側の処理は終了する。
【００３１】
ネットワークインターフェース１０６は上述したように、プリンタインターフェース２０５上で送受信される制御信号の解析を行い、対応する処理を行っている（図４参照）。プリンタインターフェース２０５からのコマンドの受信を検出すると、そのコマンドの内容を解析処理して判定する（ステップＳ７０１、Ｓ７０２）。その結果コンフィグ情報獲得コマンドと判定された場合にステップＳ７０３以降の処理が実行される。他の要求の場合はステップＳ７０７に分岐し、要求に応じた処理が実行される。他の要求とは一般的な印刷もしくは制御の処理であり、従来と同様の処理が行われる。
【００３２】
ステップＳ７０４では、ネットワークインターフェース内のコンフィグ情報（設定値一覧）をまとめ、ステップＳ７０５においてある決められたフォーマットに変換する。このフォーマットの一例を図８に示す。これはテキストのフォーマットであり、パラメータ名、パラメータ値、そして必要に応じて記述された付加情報から構成される。この情報をネットワークインターフェース１０６からクライアント装置１０１に対してコマンドに対する応答として送信する（ステップＳ７０５）。このような応答を受信したクライアント装置では、図５で上述したように、当該応答に含まれるコンフィグ情報に基づいて印刷ジョブを生成し、デバイス端末装置１０５に送り、プリンタデバイス本体１０７を用いてコンフィグ情報をプリントアウトする。図９は図８に示したフォーマットから実際の印刷データに変換した例（または、印刷データに基づいて印刷された印刷物の例）を示す。図９においては、構成情報の一例として、様々な情報が挙げられている。
【００３３】
以上詳述したように、本実施形態のネットワークシステムは、印刷装置と情報処理装置とがネットワークを介して通信可能な印刷システムであって、情報処理装置（クライアント装置１０１〜１０３）により、ネットワークに接続されたネットワークインターフェース（１０６）より構成情報を取得し（Ｓ５０４）、取得された構成情報に基づいて印刷ジョブを生成し（Ｓ５０５）、生成されて印刷装置に送信された印刷ジョブに従って構成情報を印刷する（Ｓ５０６）。
【００３４】
すなわち、ネットワークシステムに必須な構成であるクライアント装置がネットワークインターフェースからコンフィグ情報を吸い上げ、これをプリンタに印刷させるので、印字データの作成にホストＰＣを使用する印刷環境（ホストベースプリンタ環境）においても、ネットワークインターフェースのコンフィグ情報を印刷することが可能となる。
【００３５】
このため、ネットワークインターフェースに設定された情報を即座に紙で確認することが可能となる。これはネットワーク環境が変更された場合や、ネットワークインターフェースの設定を変更する場合において、その確認が非常に易しくなると同時に、動作設定時のパラメータを紙で保存することが可能となる。また、印刷装置の開発において、ネットワークインターフェースのバージョンの確認の簡便化を図ることが可能となる。
【００３６】
また、上記実施形態によれば、ネットワークインターフェースは印刷装置をネットワークに接続するためのネットワークボード又はネットワークカードである。しかしながら、印刷装置に限らず、スキャナ装置のためのネットワークインターフェースの構成情報を印刷するような構成にも適用できる。この場合、ホスト装置は、スキャナ装置のネットワークインターフェースから構成情報を取得し、印刷ジョブを生成し、ネットワーク上の印刷装置にその印刷ジョブを送信するように構成すればよい。
【００３７】
また、上記実施形態によれば、構成情報の取得において、情報処理装置（クライアント装置）からネットワークインターフェース（１０６）に構成情報を要求するコマンドを発行し（Ｓ５０３）、このコマンドに応じて所定のフォーマットで記述された構成情報をネットワークインターフェース（１０６）から情報処理装置に対して返信する（Ｓ７０２〜Ｓ７０６）。また、コマンドの発行においては、ネットワークインターフェースに接続された周辺装置のドライバによって提供されるユーザインターフェース画面中に、前記構成情報の取得を要求するための操作インターフェースを提示し（図６）、このインターフェースの操作に応じてコマンドが発行される。
【００３８】
更に、本実施形態によれば、生成される印刷ジョブは取得された構成情報に基づくイメージデータを含む。これによりホストベースの印刷システムでもネットワークインターフェースの構成情報を印刷することができる。
【００３９】
なお、ネットワークインターフェース１０６において、コンフィグ情報を変換する処理（ステップＳ７０５）において、変換後のフォーマットは、記述方法により、実際に印刷／非印刷される文字情報や、太字体で印刷される文字情報を表すことができるようにしてもよい。この場合、そのようなコンフィグ情報を受け取ったローカルクライアント１０３は、そのフォーマット記述によって、印刷ジョブにおける印刷文字列のフォントや大きさを切り替える印刷ジョブを生成する。
【００４０】
また、上記実施形態では、ローカルクライアント１０３に、コンフィグプリントを指示するためのユーザインターフェースを設けたが、プリンタデバイス（たとえば操作パネル）にそのユーザインターフェースを設けてもよい。その場合は、例えば、プリンタデバイス１０７がコンフィグプリントコマンドをネットワークインターフェース１０６に送り、これを受けたネットワークインターフェース１０６は自身のコンフィグ情報とコンフィグプリントコマンドを所定のクライアント装置（１０１）に送出する。そして、これを受けたクライアント装置１０１がそのコンフィグ情報に基づいて印刷ジョブを生成し、印刷を実行させるように制御すればよい。
【００４１】
また、構成情報には、ネットワークインターフェース自身の動作状態を表すネットワーク設定パラメータ、またはネットワークインターフェースが接続される周辺装置に関する情報を含ませてもよい。ここで周辺装置に関する情報とは、管理者情報、位置情報、ネットワーク名、インターフェース情報の少なくとも一つを含む。
【００４２】
また、上記実施形態によれば、上記印刷システムに好適なクライアントコンピュータとしての情報処理装置や、ネットワークインターフェースが提供される。この情報処理装置は、印刷装置とネットワークを介して通信可能な情報処理装置であって、ネットワークに接続されているネットワークインターフェース（１０６）より構成情報を取得し（Ｓ５０３、Ｓ５０４）、取得された構成情報に基づいて印刷ジョブを生成し（Ｓ５０５）、印刷装置に対して生成された印刷ジョブを送信する（Ｓ５０６）構成を有する。
【００４３】
ここで、上記構成情報の取得は、ネットワークインターフェースに対して構成情報を要求するコマンドを発行し、コマンドに対する返信として、ネットワークインターフェースより、所定のフォーマットで記述された構成情報を受信する。
【００４４】
また、本実施形態のネットワークインターフェースは、ネットワークと周辺装置を接続するためのネットワークインターフェースであり、ネットワークを介して受信したコマンドの種類を判定し（Ｓ７０２）、受信したコマンドが構成情報要求コマンドであると判定された場合には、当該ネットワークインターフェースの構成情報を所定のフォーマットで記述した構成情報データを生成し（Ｓ７０３〜Ｓ７０５）、生成されたデータを構成情報要求コマンドに対する応答としてネットワーク上に送信する（Ｓ７０６）。
【００４５】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００４６】
この場合、記憶媒体から読出されたプログラムコード自体が前述した実施形態の機能を実現することになり、そのプログラムコードを記憶した記憶媒体は本発明を構成することになる。
【００４７】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００４８】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００４９】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５０】
【発明の効果】
以上説明したように、本発明によれば、ホストベースシステムでは不可能であった、ネットワークインターフェースの設定情報の印刷が可能となる。
【図面の簡単な説明】
【図１】第１実施形態に係るネットワークシステムのシステム構成図である。
【図２】図１に示したネットワークインターフェース部１０６の構成を示すブロック図である。
【図３】図１に示した、ネットワーククライアント１０１〜１０３の構成を示すブロック図である。
【図４】図１に示した、ネットワークインターフェースの通常処理を示すフローチャートである。
【図５】図１に示した、クライアント装置のコンフィグプリント時の処理を示すフローチャートである。
【図６】図３に示した、クライアント装置内のステータスウィンドウによる画面表示例を示す図である。
【図７】図１に示した、ネットワークインターフェースのコンフィグプリント時の処理を示すフローチャートである。
【図８】図７に示した、コンフィグ情報データの例を示す図である。
【図９】図５に示した、コンフィグ印刷データの印刷例を示す図である。
【図１】
2004185133.tif 000003
【図２】
2004185133.tif 000004
【図３】
2004185133.tif 000005
【図４】
2004185133.tif 000006
【図５】
2004185133.tif 000007
【図６】
2004185133.tif 000008
【図７】
2004185133.tif 000009
【図８】
2004185133.tif 000010
【図９】
2004185133.tif 000011